(57)【特許請求の範囲】
【請求項１】
印刷回路基板上に複数のＬＥＤが実装されたＬＥＤアセンブリで構成される光源部と、
前記光源部を内部に収容するボトムフレームと、
前記ボトムフレームの底面上部に位置する導光板と、を備え、
前記ボトムフレームはｎ個の複数に分割され、ｎ＞１であり、相互対向するそれぞれのボトムフレームの端部には相互に固定結合するための結合部が設けられ、
前記相互対向するそれぞれのボトムフレームの端部が結合して前記ボトムフレームの底面を成し、
前記光源部は、前記導光板の一側面に位置し、前記相互対向するそれぞれのボトムフレームの端部は前記導光板と重なる、ことを特徴とするバックライトユニット。
【請求項２】
前記結合部は、
前記ｎ番目のボトムフレームの端部が曲げ形成されたベンディング領域と、
前記ｎ＋１番目のボトムフレームの端部が曲げ形成されたベンディング領域とを備え、
前記ｎ＋１番目のボトムフレームのベンディング領域は、前記ｎ番目のボトムフレームのベンディング領域の上部に積層されることを特徴とする請求項１に記載のバックライトユニット。
【請求項３】
前記結合部は、
前記ｎ番目のボトムフレームの端部が曲げ形成されたベンディング領域と、
前記ｎ＋１番目のボトムフレームの端部が曲げ形成されたベンディング領域とを備え、
それぞれの前記ベンディング領域の端部が相互対向するように、前記ｎ＋１番目のボトムフレームが、前記ｎ番目のボトムフレームの上部に積層されることを特徴とする請求項１に記載のバックライトユニット。
【請求項４】
前記結合部は、
前記ｎ番目のボトムフレームの端部が曲げ形成されたベンディング領域と、
前記ｎ＋１番目のボトムフレームの端部が曲げ形成されたベンディング領域とを備え、
前記ｎ＋１番目のベンディング領域は、前記ｎ番目のベンディング領域の内側にフック結合され、前記ｎ＋１番目のボトムフレームが前記ｎ番目のボトムフレームの上部に位置して、前記ｎ番目のボトムフレームと前記ｎ＋１番目のボトムフレームとが交互に積層されることを特徴とする請求項１に記載のバックライトユニット。
【請求項５】
前記ｎ番目のボトムフレームと前記ｎ＋１番目のボトムフレームとが交互に積層された積層領域の最上層に、フォーミング形状が形成されることを特徴とする請求項４に記載のバックライトユニット。
【請求項６】
前記ベンディング領域は、ヘミング構造で構成されることを特徴とする請求項２ないし請求項４のうち、いずれかに記載のバックライトユニット。
【請求項７】
前記結合部は、
複数に分割された前記ボトムフレームを整列するために前記積層領域を貫通する複数のアライメント部材と、
複数に分割された前記ボトムフレームを固定結合するために前記積層領域を貫通して複数の前記ボトムフレームに結合される複数の締結部材と
を更に備えることを特徴とする請求項２ないし請求項４のうち、いずれかに記載のバックライトユニット。
【請求項８】
前記結合部は、
前記ｎ番目のボトムフレームの端部と、前記ｎ＋１番目のボトムフレームの端部とが相互に重なった領域に、トックス接合によって固定結合されて設けられることを特徴とする請求項１に記載のバックライトユニット。
【請求項９】
前記結合部は、
前記ｎ番目のボトムフレームの端部が前記パネルとの反対方向に複数回曲げ形成されたベンディング部と、
前記ベンディング部に対応するよう、前記ｎ＋１番目のボトムフレームの端部が前記パネルとの反対方向に複数回曲げ形成されたベンディング部と、
前記ｎ番目のボトムフレームのベンディング部及び前記ｎ＋１番目のボトムフレームのベンディング部の全体を内部に収容するよう、前記ベンディング部の外周面に対してスライド結合される固定部材と
を備えることを特徴とする請求項１に記載のバックライトユニット。
【請求項１０】
前記ベンディング部は、
前記ボトムフレームの端部から、前記パネルとの反対方向に曲げ形成された垂直部と、
前記ボトムフレームに平行になるように前記垂直部から延長した延長部と
を備えることを特徴とする請求項９に記載のバックライトユニット。
【請求項１１】
前記ベンディング部は、
前記延長部の端部から、前記ボトムフレーム方向に曲げ形成された折曲部を更に備えることを特徴とする請求項１０に記載のバックライトユニット。
【請求項１２】
前記導光板と前記ボトムフレームの前記底面との間に位置し、前記導光板から漏れた光を反射する反射シートと、
前記導光板上部に位置し、前記導光板を通った光を集光及び拡散する光学シートと、
複数に分割された前記ボトムフレームの外側面に結合されて前記ボトムフレームを支持する補強部材とを更に備える、ことを特徴とする請求項１に記載のバックライトユニット。
【請求項１３】
前記補強部材は、
内側面に結合溝が設けられ、前記ボトムフレームの長さ方向に沿って結合されて前記ボトムフレームを支持する第１補強部と、
内側面に結合溝が設けられ、前記ボトムフレームの幅方向に沿って結合されて前記ボトムフレームを支持する第２補強部と、
前記第１補強部の端部と前記第２補強部の端部を連結する連結部材と
を備えることを特徴とする請求項１２に記載のバックライトユニット。
【請求項１４】
前記第１補強部及び前記第２補強部の両側端部には開口部が設けられ、前記連結部材の一端は、前記第１補強部の開口部に挿入固定され、他端は、前記第２補強部の開口部に挿入固定されることを特徴とする請求項１３に記載のバックライトユニット。
【発明の詳細な説明】
【技術分野】
【０００１】
本発明はディスプレイ装置に用いられるバックライトユニットに関するものである。
【背景技術】
【０００２】
液晶表示装置１０は、一般的に図１に示すように映像を出力する液晶パネル２０と、液晶パネル２０を内部に収容するボトムフレーム３０とを備える。
【０００３】
ボトムフレーム３０の裏面には、その上部・下部に結合される補強フレーム３１と、補強フレーム３１を支持するための補強バー２２と、補強バー２２とボトムフレーム３０を固定結合するためのスクリュー型の固定部材３３とが位置する。
【０００４】
更に具体的に説明すると、ボトムフレーム３０は液晶パネル２０のサイズ（インチ）に対応するように１枚の単一板金形状に製造されたものであって、光源部からの熱によって、補強バー２２を境界に熱変形が発生し、その結果、ボトムフレーム３０が左右に歪み、液晶表示装置１０の寿命に深刻な影響を与えるという問題があった。
【０００５】
また、急激に増加する液晶パネルのサイズに対応した、１枚の単一板金形状のボトムフレームの製造及び金型が難しいという問題があった。
【０００６】
更に、ボトムフレームのサイズが大きくなるほどボトムフレームの裏面には複数の補強バーが設けられなければならないため、製造費が増大するという問題もあった。
【発明の概要】
【発明が解決しようとする課題】
【０００７】
本発明は前述した問題を解決するためのものであって、大型サイズのディスプレイ装置の光源部からの熱によるバックライトユニットの熱膨張及び熱変形を防止すると共に、外部からの衝撃に耐えるため、複数に分割されたそれぞれの部分が１つに結合されたボトムフレームを備えたディスプレイ装置に用いられるバックライトユニットを提供することをその目的とする。
【課題を解決するための手段】
【０００８】
本発明はディスプレイ装置に用いられるバックライトユニットに関するものであって、光源部と、前記光源部を内部に収容するボトムフレームとを備え、前記ボトムフレームはｎ個（ｎ>１）の複数に分割され、相互対向するそれぞれのボトムフレームの端部には相互に固定結合するための結合部が設けられることを特徴とする。
【０００９】
また、前記結合部は、前記ｎ番目のボトムフレームの端部が曲げ形成されたベンディング領域と、前記ｎ＋１番目のボトムフレームの端部が曲げ形成されたベンディング領域とを備え、前記ｎ＋１番目のボトムフレームのベンディング領域は、前記ｎ番目のボトムフレームのベンディング領域の上部に積層されることを特徴とする。
【００１０】
また、前記結合部は、前記ｎ番目のボトムフレームの端部が曲げ形成されたベンディング領域と、前記ｎ＋１番目のボトムフレームの端部が曲げ形成されたベンディング領域とを備え、それぞれの前記ベンディング領域の端部が相互対向するように、前記ｎ＋１番目のボトムフレームが、前記ｎ番目のボトムフレームの上部に積層されることを特徴とする。
【００１１】
また、前記結合部は、前記ｎ番目のボトムフレームの端部が曲げ形成されたベンディング領域と、前記ｎ＋１番目のボトムフレームの端部が曲げ形成されたベンディング領域とを備え、前記ｎ＋１番目のベンディング領域は、前記ｎ番目のベンディング領域の内側にフック結合され、前記ｎ＋１番目のボトムフレームが前記ｎ番目のボトムフレームの上部に位置して、前記ｎ番目のボトムフレームと前記ｎ＋１番目のボトムフレームとが交互に積層されることを特徴とする。
【００１２】
また、前記ｎ番目のボトムフレームと前記ｎ＋１番目のボトムフレームとが交互に積層された積層領域の最上層に、フォーミング形状が形成されることを特徴とする。
【００１３】
また、前記ベンディング領域はヘミング構造で構成されることを特徴とする。
【００１４】
また、前記結合部は、複数に分割された前記ボトムフレームを整列するために前記積層領域を貫通する複数のアライメント部材と、複数に分割された前記ボトムフレームを固定結合するために前記積層領域を貫通して複数の前記ボトムフレームに結合される複数の締結部材とを更に備えることを特徴とする。
【００１５】
また、前記結合部は、前記ｎ番目のボトムフレームの端部と、前記ｎ＋１番目のボトムフレームの端部とが相互に重なった領域に、トックス接合によって固定結合されて設けられることを特徴とする。
【００１６】
また、前記結合部は、前記ｎ番目のボトムフレームの端部が前記パネルとの反対方向に複数回曲げ形成されたベンディング部と、前記ベンディング部に対応するよう、前記ｎ＋１番目のボトムフレームの端部が前記パネルとの反対方向に複数回曲げ形成されたベンディング部と、前記ｎ番目のボトムフレームのベンディング部及び前記ｎ＋１番目のボトムフレームのベンディング部の全体を内部に収容するよう、前記ベンディング部の外周面に対してスライド結合される固定部材とを備えることを特徴とする。
【００１７】
また、前記ベンディング部は、前記ボトムフレームの端部から、前記パネルとの反対方向に曲げ形成された垂直部と、前記ボトムフレームに平行になるように前記垂直部から延長した延長部とを備えることを特徴とする。
【００１８】
また、前記ベンディング部は、前記延長部の端部から、前記ボトムフレーム方向に曲げ形成された折曲部を更に備えることを特徴とする。
【００１９】
また、前記光源部に対向するように備えられた導光板と、前記導光板下部に位置し、前記導光板から漏れた光を反射する反射シートと、前記導光板上部に位置し、前記導光板を通った光を集光及び拡散する光学シートと、複数に分割された前記ボトムフレームの外側面に結合されて前記ボトムフレームを支持する補強部材とを更に備え、前記光源部は、印刷回路基板上に複数のＬＥＤが実装されたＬＥＤアセンブリで構成されることを特徴とする。
【００２０】
また、前記補強部材は、内側面に結合溝が設けられ、前記ボトムフレームの長さ方向に沿って結合されて前記ボトムフレームを支持する第１補強部と、内側面に結合溝が設けられ、前記ボトムフレームの幅方向に沿って結合されて前記ボトムフレームを支持する第２補強部と、前記第１補強部の端部と前記第２補強部の端部を連結する連結部材とを備えることを特徴とする。
【００２１】
また、前記第１補強部及び前記第２補強部の両側端部には開口部が設けられ、前記連結部材の一端は、前記第１補強部の開口部に挿入固定され、他端は、前記第２補強部の開口部に挿入固定されることを特徴とする。
【発明の効果】
【００２２】
本発明の実施例に従って、バックライトユニットを構成するボトムフレームを複数に分割して備えることで、光源部からの熱によるボトムフレームの熱膨張及び熱変形を最小化するという効果がある。
【００２３】
また、ボトムフレームを複数に分割して備えることで、従来の補強バーを備えたボトムフレームに比べ、ボトムフレームの剛性が向上して、大型サイズのディスプレイ装置を構成するパネルを安全に支持できるだけでなく、外部衝撃からディスプレイ装置を保護できるという効果がある。
【００２４】
また、従来の液晶ディスプレイ装置におけるボトムフレームの下面に備えられた補強バーを代替することで、製造費及び歩留まりを向上させるという効果がある。
【００２５】
また、従来の１枚の単一板金からなるボトムフレームに比べ、本発明に係るボトムフレームは複数に分割して備えられるため、大型化するパネルサイズに対応して拡張性が容易という効果がある。
【図面の簡単な説明】
【００２６】
【図１】従来の液晶ディスプレイ装置の斜視図である。
【図２】本発明に係るディスプレイ装置の分解斜視図である。
【図３】本発明の第１実施例に係るバックライトユニットを構成するボトムフレームの結合断面図である。
【図４】図３に示すボトムフレームにアライメント部材及び結合部材が備えられた断面図である。
【図５】本発明の第２実施例に係るバックライトユニットを構成するボトムフレームの結合断面図である。
【図６】本発明の第３実施例に係るバックライトユニットを構成するボトムフレームの結合断面図である。
【図７Ａ】図６に示すボトムフレームの結合過程を示す斜視図である。
【図７Ｂ】図６に示すボトムフレームの結合過程を示す斜視図である。
【図７Ｃ】図６に示すボトムフレームの結合過程を示す斜視図である。
【図８】本発明の第４実施例に係るバックライトユニットを構成するボトムフレームの結合斜視図である。
【図９Ａ】本発明の第５実施例に係るバックライトユニットを構成するボトムフレームの結合斜視図である。
【図９Ｂ】本発明の第５実施例に係るバックライトユニットを構成するボトムフレームの結合過程を示す断面図である。
【図１０】本発明の第６実施例に係るバックライトユニットを構成するボトムフレームの結合斜視図である。
【図１１】本発明の第７実施例に係るバックライトユニットを構成するボトムフレームの結合斜視図である。
【図１２】本発明のバックライトユニットを構成する補強部材の斜視図である。
【発明を実施するための形態】
【００２７】
本発明の目的、特定メリット及び新規特徴は、図面を用いた以下の詳細な説明と望ましい実施例より更に明白化される。本発明における各図面の構成要素に参照番号を付するにおいて、例え他の図面上に示されていても、同一構成要素に対しては、可能な限り同一番号を付する。また、「第１」、「第２」などの用語は様々な構成要素を説明するのに用いられるが、前記構成要素は前記用語によって限定されない。前記用語は、１つの構成要素を他の構成要素から区別する目的としてのみ用いられる。また、以下の説明において、本発明に関連する公知内容に関する具体的説明が本発明の要旨を不明瞭にすると判断される場合、その詳細な説明を省略する。
【００２８】
以下、図面を用いて本発明の望ましい実施例を詳細に説明する。
【００２９】
図２は、本発明に係るディスプレイ装置の分解斜視図である。図２に示すようにディスプレイ装置１００は、パネル１１０と、光源部１２０、導光板１３０、ボトムフレーム１４０、反射シート１５１、光学シート１５２からなるバックライトユニットと、メインフレーム１５３と、トップフレーム１５４とを備える。
【００３０】
更に具体的に、パネル１１０は、カラーフィルター基板とアレイ基板との間に液晶層が備えられた、映像を出力する液晶パネルであっても良い。
【００３１】
また、光源部１２０は、パネル１１０下部に位置してパネル１１０に光を出射するものであって、印刷回路基板１２１上に複数のＬＥＤ１２２が実装されたＬＥＤアセンブリで構成される。
【００３２】
また、導光板１３０はＬＥＤ１２２からの光をパネル１１０に入射させるためのものであって、ＬＥＤ１２２の出射方向に対向するように備えられることが望ましい。
【００３３】
また、バックライトユニットを構成するボトムフレーム１４０は、導光板１３０下部に位置してパネル１１０及び光源部１２０を内部に収容する。
【００３４】
更に具体的に、本発明の実施例に係るボトムフレーム１４０は、ｎ個（ｎ>１、ｎは自然数）の複数に分割される。
【００３５】
また、図２に示すボトムフレーム１４０のＡ領域には、相互対向するそれぞれのボトムフレームの端部が相互に固定結合するための結合部が設けられるが、結合部Ａについては、後で更に具体的に説明する。
【００３６】
また、ボトムフレーム１４０の最外殻に結合されるボトムフレームの両側端部をパネル１１０方向に垂直に折曲することで、導光板１３０と反射シート１５１と光学シート１５２とを内部に収容する。
【００３７】
図２に示す本発明に係る反射シート１５１は、導光板１３０とボトムフレーム１４０との間に位置して、導光板１３０の内部へ進行できず、導光板１３０の外部へ漏れた光を、パネル１１０の全面に再反射する役割をする。
【００３８】
光学シート１５２は、パネル１１０と導光板１３０との間に位置し、導光板１３０を通した光を集光するプリズムシートと、光を拡散する拡散シートとからなる。
【００３９】
メインフレーム１５３は、パネル１１０をガイドし、光学シート１５２を固定する役割をする。
【００４０】
トップフレーム１５４は、パネル１１０の上面縁部を覆い、メインフレーム１５３及びボトムフレーム１４０の側面縁部に結合されることで、パネル１１０とバックライトユニットを一体化する。
【００４１】
図３は、本発明の第１実施例に係るバックライトユニットを構成するボトムフレームの結合断面図である。本実施例では２つに分割されたボトムフレームを例として説明する。図３に示すようにボトムフレーム１４０ａは複数に分割され、それぞれのボトムフレーム１４１ａ、１４２ａの端部は相互に固定結合するための結合部Ａを構成する。
【００４２】
更に具体的に、１番目のボトムフレーム１４１ａと１番目のボトムフレーム１４１ａに隣接した２番目のボトムフレーム１４２ａの場合、それぞれの端部がヘミング工法によってヘミング構造で構成されるよう、１８０度に曲げ形成されたベンディング領域を備える。
【００４３】
２番目のボトムフレーム１４２ａは、１番目のボトムフレーム１４１ａの上部に積層される。
【００４４】
従って、結合部Ａを構成するボトムフレーム１４０ａは、４枚が積層されて構成される。積層総数は、ボトムフレームの端部に加えられるヘミング工程の回数によって多様に変更される。
【００４５】
また、結合部Ａは分割されたボトムフレームの金属板が数枚積層されて構成されるため、パネルサイズに応じてその厚さを多様に変更することができ、従来の補強バーが結合されたボトムフレームに比べ、本発明のバックライトユニットを構成するボトムフレーム１４０ａの剛性が向上するという効果がある。
【００４６】
その結果、従来のボトムフレームの剛性を保つために備えられた複数の補強バーを、結合部Ａで代替することができるため、製造費を節減できる。
【００４７】
そして、光源部１２０を構成する複数のＬＥＤ１２２からの高熱が、ボトムフレーム１４０ａに伝達された場合、複数に分割されたボトムフレーム１４１ａ、１４２ａは個々に熱膨張及び収縮が可能である。
【００４８】
結合部Ａを構成するベンディング領域で熱変形による変形量を相殺するため、ボトムフレーム１４０ａが熱によって歪み変形されることを防止するという効果がある。
【００４９】
図４は、図３に示すボトムフレームにアライメント部材及び結合部材が備えられた断面図である。図４に示すように、結合部Ａは、複数のアライメント部材１６１及び締結部材１６２を更に備える。
【００５０】
更に具体的に、アライメント部材１６１はペムナットであって、複数に分割されたボトムフレーム１４０ａの積層をガイドし、整列するために、１番目のボトムフレーム１４１ａと２番目のボトムフレーム１４２ａの積層領域を貫通する。
【００５１】
アライメント部材１６１は１番目のボトムフレーム１４１ａと２番目のボトムフレーム１４２ａの積層をガイドし、整列するだけでなく、積層されたボトムフレーム１４０ａを固定結合することができる。
【００５２】
締結部材１６２は、複数に分割されて積層されたボトムフレーム１４０ａを固定結合するためのものである。
【００５３】
更に具体的に、図３に示すように、本発明における締結部材１６２は、外周面にネジ山が形成されたスクリュー型を用いて、１番目のボトムフレーム１４１ａと２番目のボトムフレーム１４２ａを貫通し、その内部に固定結合される。
【００５４】
締結部材１６２は、複数に分割されて積層されたボトムフレーム１４０ａを固定できる様々な手段に替えることができる。
【００５５】
図５は、本発明の第２実施例に係るバックライトユニットを構成するボトムフレームの結合断面図である。前述した実施例と同一または対応する構成要素については、その説明を省略する。以下、図５を用いて本発明の第２実施例に係るボトムフレームについて説明する。
【００５６】
本発明の第２実施例に係るボトムフレーム１４０ｂは複数に分割され、それぞれのボトムフレーム１４１ｂ、１４２ｂの端部は、相互に固定結合して結合部Ａを構成する。
【００５７】
更に具体的に、図５に示す第２実施例によると、１番目のボトムフレーム１４１ｂと１番目のボトムフレーム１４１ｂに隣接した２番目のボトムフレーム１４２ｂの場合、それぞれの端部がヘミング工法によってヘミング構造で構成されるよう、１８０度曲げ形成されたベンディング領域を備える。
【００５８】
次に、２番目のボトムフレーム１４２ｂの端部が１番目のボトムフレーム１４１ｂの端部に対向するよう、２番目のボトムフレーム１４２ｂは１番目のボトムフレーム１４１ｂの上部に積層されて結合部Ａを構成する。
【００５９】
従って、結合部Ａを構成するボトムフレーム１４０ｂは、３枚が積層されて構成される。積層総数は、ボトムフレームの端部に加えられるヘミング工程の回数によって多様に変更される。
【００６０】
また、結合部Ａは分割されたボトムフレームの金属板が数枚積層されて構成されるため、パネルサイズに応じてその厚さを多様に変更することができ、従来の補強バーが結合されたボトムフレームに比べ、本発明のバックライトユニットを構成するボトムフレーム１４０ｂの剛性が向上するという効果がある。
【００６１】
その結果、従来のボトムフレームの剛性を保つために備えられた複数の補強バーを、結合部Ａで代替することができるため、製造費を節減できる。
【００６２】
そして、光源部１２０を構成する複数のＬＥＤ１２２からの高熱が、ボトムフレーム１４０ｂに伝達された場合、複数に分割されたボトムフレーム１４１ｂ、１４２ｂは個々に熱膨張及び収縮が可能である。
【００６３】
結合部Ａを構成するベンディング領域で熱変形による変形量を相殺するため、ボトムフレーム１４０ｂが熱によって歪み変形されることを防止するという効果がある。
【００６４】
また、図面に示していないが、第２実施例に係るボトムフレーム１４０ｂの結合部Ａには、図４に示す本発明の第１実施例と同様に、複数のアライメント部材及び締結部材を備えることができる。
【００６５】
図６は、本発明の第３実施例に係るバックライトユニットを構成するボトムフレームの結合断面図であり、図７Ａないし図７Ｃは、図６に示すボトムフレームの結合過程を示す斜視図である。前述した実施例と同一または対応する構成要素については、その説明を省略する。以下、図面を用いて本発明の第３実施例に係るボトムフレームについて説明する。
【００６６】
図６に示すように、本発明の第３実施例に係るボトムフレーム１４０ｃは複数に分割され、それぞれのボトムフレーム１４１ｃ、１４２ｃの端部は、相互に固定結合されて結合部Ａを構成する。
【００６７】
更に具体的に、図６に示す第３実施例によると、１番目のボトムフレーム１４１ｃの端部はヘミング工法によってヘミング構造で構成されるよう、１８０度曲げ形成されたベンディング領域を備え、ベンディング領域内には所定のスペースが設けられる。
【００６８】
１番目のボトムフレーム１４１ｃに隣接した２番目のボトムフレーム１４２ｃの端部もまた、ヘミング工法によってヘミング構造で構成されるよう、１８０度曲げ形成されたベンディング領域を備え、ベンディング領域内には所定のスペースが設けられる。
【００６９】
そして、１番目のボトムフレーム１４１ｃのべンディング領域の内部に設けられた空きスペースに、２番目のボトムフレーム１４２ｃを押し込むために、図７Ａに示すように、２番目のボトムフレーム１４２ｃを１番目のボトムフレーム１４１ｃの上部に位置させる。
【００７０】
次に、図７Ｂに示すように、２番目のボトムフレーム１４２ｃを矢印方向に移動させ、１番目のボトムフレーム１４１ｃのベンディング領域に設けられた所定のスペースと、２番目のボトムフレーム１４２ｃのベンディング領域に設けられた所定のスペースとが対向するようにする。
【００７１】
次に、図７Ｃに示すように、２番目のボトムフレーム１４２ｃを矢印方向に移動させ、１番目のボトムフレーム１４１ｃのベンディング領域に設けられた所定のスペースに、２番目のボトムフレーム１４２ｃをスライド結合させる。
【００７２】
また、図７Ｃに示すように、１番目のボトムフレーム１４１ｃと２番目のボトムフレーム１４２ｃとが交互に相互積層された状態で、その上部及び下部からプレス工程で積層領域を加圧することにより、１番目のボトムフレーム１４１ｃと２番目のボトムフレーム１４２ｃを固定結合するための結合部Ａが構成される。
【００７３】
従って、結合部Ａを構成するボトムフレーム１４０ｃは、４枚が積層されて構成される。積層総数は、ボトムフレームの端部に加えられるヘミング工程の回数によって多様に変更される。
【００７４】
また、本実施例によると、１番目のボトムフレーム１４１ｃと２番目のボトムフレーム１４２ｃは相互にフック結合をするため、従来の補強バーが結合されたボトムフレームに比べ、本発明のバックライトユニットを構成するボトムフレーム１４０ｃの剛性が向上するという効果がある。
【００７５】
その結果、従来のボトムフレームの剛性を保つために備えられた複数の補強バーを、結合部Ａで代替することができるため、製造費を節減できる。
【００７６】
そして、光源部１２０を構成する複数のＬＥＤ１２２からの高熱が、ボトムフレーム１４０ｃに伝達された場合、複数に分割されたボトムフレーム１４１ｃ、１４２ｃは個々に熱膨張及び収縮が可能である。
【００７７】
結合部Ａを構成するベンディング領域で熱変形による変形量を相殺するため、ボトムフレーム１４０ｃが熱によって歪み変形されることを防止するという効果がある。
【００７８】
また、図面に示していないが、第３実施例に係るボトムフレーム１４０ｃの結合部Ａには、図４に示す本発明の第１実施例と同様に、複数のアライメント部材及び締結部材を備えることができる。
【００７９】
図８は、本発明の第４実施例に係るバックライトユニットを構成するボトムフレームの結合斜視図である。前述した実施例と同一または対応する構成要素については、その説明を省略する。以下、図８を用いて本発明の第４実施例に係るボトムフレームについて説明する。
【００８０】
図８に示すように、２番目のボトムフレーム１４２ｃは、１番目のボトムフレーム１４１ｃに結合される領域以外の領域に、フォーミング工法によるフォーミング形状を備える。
【００８１】
更に具体的に、ボトムフレーム１４０ｃの構造において、１番目のボトムフレーム１４１ｃと２番目のボトムフレーム１４２ｃとが交互に積層されて構成された結合部Ａの最上層に、所定のスペース１４７ｃを設けたフォーミング形状１４５ｃが備えられることで、ボトムフレーム１４０ｃの剛性が向上するという効果がある。
【００８２】
また、図面に示していないが、第４実施例に係るボトムフレーム１４０ｃの積層領域には、図４に示す本発明の第１実施例と同様に、複数のアライメント部材及び締結部材を備えることができる。
【００８３】
図９Ａは、本発明の第５実施例に係るバックライトユニットを構成するボトムフレームの結合斜視図であり、図９Ｂは、本発明の第５実施例に係るバックライトユニットを構成するボトムフレームの結合過程を示す断面図である。前述した実施例と同一または対応する構成要素については、その説明を省略する。以下、図面を用いて本発明の第５実施例に係るボトムフレームについて説明する。
【００８４】
図９Ｂに示すように、１番目のボトムフレーム１４１ｅと２番目のボトムフレーム１４２ｅの所定領域を積層させる。
【００８５】
次に、積層された領域を、トックスＴ接合ツールが備えられたプレス台Ｄの上部に位置させる。
【００８６】
その後、プレスマシンＭを用いてプレシング工程を行うと、図９Ａに示すように、ボトムフレーム１４０ｅの積層領域に結合部Ａが設けられ、１番目のボトムフレーム１４１ｅと２番目のボトムフレーム１４２ｅが固定結合される。
【００８７】
従って、本発明の第５実施例に係るボトムフレーム１４０ｅの結合部Ａには、本発明の第１実施例と同様のアライメント部材または締結部材を備えなくても良い。
【００８８】
本実施例に係る結合部Ａが、従来のボトムフレームの剛性を保つために備えられた複数の補強バーを代替することができるため、製造費を節減できる。
【００８９】
図１０は、本発明の第６実施例に係るバックライトユニットを構成するボトムフレームの結合斜視図である。前述した実施例と同一または対応する構成要素については、その説明を省略する。以下、図１０を用いて本発明の第６実施例に係るボトムフレームについて説明する。
【００９０】
図１０に示すように、複数に分割されたそれぞれのボトムフレーム１４０ｆを一体結合するための結合部Ａは、液晶パネル１１０との反対方向に設けられることが望ましい。
【００９１】
更に具体的に、結合部Ａは、複数のベンディング部Ｂと、ベンディング部Ｂの外周面に沿ってスライド結合される固定部材１４９ｆとを備える。
【００９２】
図１０に示すように、１番目のボトムフレーム１４１ｆの端部に設けられたベンディング部Ｂは、液晶パネル１１０との反対方向に曲げ形成された垂直部１４３ｆと、垂直部１４３ｆから延長し、１番目のボトムフレーム１４１ｆに平行した延長部１４５ｆとを備える。
【００９３】
２番目のボトムフレーム１４２ｆの端部に設けられたベンディング部Ｂもまた、１番目のボトムフレーム１４１ｆのベンディング部Ｂに対応するように、垂直部１４４ｆと延長部１４６ｆとを備える。
【００９４】
また、図１０に示すように、ベンディング部Ｂ同士の間に形成されるベンディング角は垂直であることが望ましい。
【００９５】
また、図１０に示すように、固定部材１４９ｆがベンディング部Ｂの外周面に沿ってスライド結合されることによって、１番目のボトムフレーム１４１ｆと２番目のボトムフレーム１４２ｆは一体に固定結合される。
【００９６】
本実施例に係る結合部Ａが、従来のボトムフレームの剛性を保つために備えられた複数の補強バーを代替することができるため、製造費を節減できる。
【００９７】
そして、光源部１２０を構成する複数のＬＥＤ１２２からの高熱が、ボトムフレーム１４０ｆに伝達された場合、複数に分割されたボトムフレーム１４１ｆ、１４２ｆは個々に熱膨張及び収縮が可能である。
【００９８】
結合部Ａを構成するベンディング部Ｂで熱変形による変形量を相殺するため、ボトムフレーム１４０ｆが熱によって歪み変形されることを防止するという効果がある。
【００９９】
また、本発明の第６実施例に係る固定部材１４９ｆが、１番目のボトムフレーム１４１ｆと２番目のボトムフレーム１４２ｆを固定結合するため、ボトムフレーム１４０ｆは、アライメント部材または締結部材を備えなくても良い。
【０１００】
図１１は、本発明の第７実施例に係るバックライトユニットを構成するボトムフレームの結合斜視図である。前述した実施例と同一または対応する構成要素については、その説明を省略する。以下、図１１を用いて本発明の第７実施例に係るボトムフレームについて説明する。
【０１０１】
図１１に示すように、本発明の第７実施例に係るボトムフレーム１４０ｇは、前述した本発明の第６実施例に係るボトムフレーム１４０ｆの結合部Ａと異なって、ボトムフレーム１４０ｇ方向に曲げ形成された折曲部を更に備える。
【０１０２】
更に具体的に、結合部Ａは、複数のベンディング部Ｂと、ベンディング部Ｂの外周面に沿ってスライド結合される固定部材１４９ｇとを備える。
【０１０３】
図１１に示すように、１番目のボトムフレーム１４１ｇの端部に設けられたベンディング部Ｂは、垂直部１４３ｇと延長部１４５ｇと折曲部１４７ｇとを備える。
【０１０４】
垂直部１４３ｇは、１番目のボトムフレーム１４１ｇの端部から液晶パネル１１０との反対方向に曲げ形成される。
【０１０５】
延長部１４５ｇは、垂直部１４３ｇから１番目のボトムフレーム１４１ｇに平行して延長される。
【０１０６】
折曲部１４７ｇは、延長部１４５ｇの端部から１番目のボトムフレーム１４１ｇ方向に曲げ形成される。
【０１０７】
２番目のボトムフレーム１４２ｇの端部に設けられたベンディング部Ｂもまた、１番目のボトムフレーム１４１ｇのベンディング部Ｂに対応するように、垂直部１４４ｇと延長部１４６ｇと折曲部１４８ｇとを備える。
【０１０８】
図１１に示すように、ベンディング部Ｂ同士間のベンディング角は多様に形成されることができる。
【０１０９】
更に具体的に、垂直部１４３ｇ、１４４ｇと延長部１４５ｇ、１４６ｇとの間は９０度で、延長部１４５ｇ、１４６ｇと折曲部１４７ｇ、１４８ｇとの間は４５度以下に形成されても良い。
【０１１０】
また、図１１に示すように、固定部材１４９ｇがベンディング部Ｂの外周面に沿ってスライド結合されることによって、１番目のボトムフレーム１４１ｇと２番目のボトムフレーム１４２ｇは一体に固定結合される。
【０１１１】
本実施例に係る結合部Ａが、従来のボトムフレームの剛性を保つために備えられた複数の補強バーを代替することができるため、製造費を節減できる。
【０１１２】
そして、光源部１２０を構成する複数のＬＥＤ１２２からの高熱が、ボトムフレーム１４０ｇに伝達された場合、複数に分割されたボトムフレーム１４１ｇ、１４２ｇは個々に熱膨張及び収縮が可能である。
【０１１３】
結合部Ａを構成するベンディング部Ｂで熱変形による変形量を相殺するため、ボトムフレーム１４０ｇが熱によって歪み変形されることを防止するという効果がある。
【０１１４】
また、本発明の第７実施例に係る固定部材１４９ｇが、１番目のボトムフレーム１４１ｇと２番目のボトムフレーム１４２ｇを固定結合するため、ボトムフレーム１４０ｇは、アライメント部材または締結部材を別に備えなくても良い。
【０１１５】
図１２は、本発明のバックライトユニットを構成する補強部材の斜視図である。図１２に示すように、補強部材１７０は、第１補強部１７１と第２補強部１７３と連結部材１７７とを備えることを特徴とし、本発明の第１ないし第７実施例に係るボトムフレームに共通して適用することができる。
【０１１６】
更に具体的に、図１２の拡大図に示すように、第１補強部１７１においてボトムフレームに対向する内側面には結合溝１７２が設けられ、両側端部には開口部１７５が設けられる。
【０１１７】
第１補強部１７１は、ボトムフレームの長さ方向に沿って結合され、ボトムフレームの長さ方向を支持する。
【０１１８】
第２補強部１７３においては、第１補強部１７１と同様に、ボトムフレームに対向する内側面に結合溝１７２が設けられ、両側端部には開口部１７５が設けられる。
【０１１９】
第２補強部１７３は、ボトムフレームの幅方向に沿って結合され、ボトムフレームの幅方向を支持する。
【０１２０】
ボトムフレーム（図２の１４０）の側面は、第１補強部１７３及び第２補強部１７３の結合溝１７２に挿入される。
【０１２１】
連結部材１７７は、第１補強部１７１の端部と第２補強部１７３の端部を連結するものであって、その一端は第１補強部１７１の開口部１７５に挿入固定され、他端は第２補強部１７３の開口部１７５に挿入固定される。
【０１２２】
即ち、補強部材１７０は本発明の実施例に従って、複数に分割されて一体結合されたボトムフレーム（図２の１４０）の側面縁部に沿って結合されることで、ボトムフレーム（図２の１４０）の四面に垂直隔壁を設ける。
【０１２３】
補強部材１７０はボトムフレーム１４０の側面縁部を全体的に囲むように結合され、外部衝撃からボトムフレーム１４０の破損や変形を防止するという効果がある。
【０１２４】
また、光源部１２０からの高熱がボトムフレーム１４０に伝達され、ボトムフレーム１４０の全面に膨張及び収縮が繰り返して発生した場合、補強部材１７０がボトムフレーム１４０の長さ方向及び幅方向からボトムフレーム１４０を支持しているため、熱によるボトムフレーム１４０の歪み変形を未然に防止するという効果がある。
【０１２５】
以上、具体的な実施例を用いて本発明を詳しく説明したが、本発明に係るディスプレイ装置に用いられるバックライトユニットはこれに限定されず、本発明の精神と範囲から離れない限り、本発明の属する技術分野における通常の知識を有する者であれば、変更または改良することができる。
【０１２６】
なお、本発明の保護範囲は、本発明の単純な変形や変更を含み、後述する特許請求の範囲により明確になる。
【符号の説明】
【０１２７】
１００…  ディスプレイ装置、１１０…  パネル、１２０…  光源部、１３０…  導光板、１４０…  ボトムフレーム、１５１…  反射シート、１５２…  光学シート、１５３…  メインフレーム、１５４…  トップフレーム、１７０…  補強部材、Ａ…  結合部、Ｂ…  ベンディング部
【図１】
0005600341.tif 000002
【図２】
0005600341.tif 000003
【図３】
0005600341.tif 000004
【図４】
0005600341.tif 000005
【図５】
0005600341.tif 000006
【図６】
0005600341.tif 000007
【図７Ａ】
0005600341.tif 000008
【図７Ｂ】
0005600341.tif 000009
【図７Ｃ】
0005600341.tif 000010
【図８】
0005600341.tif 000011
【図９Ａ】
0005600341.tif 000012
【図９Ｂ】
0005600341.tif 000013
【図１０】
0005600341.tif 000014
【図１１】
0005600341.tif 000015
【図１２】
0005600341.tif 000016